(57)【要約】【課題】記録媒体のファイルシステムが変更された場合に誤った速度で記録媒体に情報が書き込まれないようにする。【解決手段】情報取得部１０１は、記録媒体１０９に対する最低限の情報の書き込み速度を示す速度情報と、記録媒体１０９のファイルシステムを示すファイルシステム情報を取得する。差異判別部１０８は、記録媒体１０９の種類とファイルシステム情報とが適合しているか否かを判定する。情報送信部１０７は、差異判別部１０８により記録媒体１０９の種類がファイルシステム情報に適合していないと判定された場合、速度情報を無効にして、記録媒体１０９に対して情報を転送する外部機器１１０に送信する。【選択図】図１
2011034131.tif 000002
【特許請求の範囲】
【請求項１】
記録媒体に対する最低限の情報の書き込み速度を示す速度情報を取得する第１の取得手段と、
前記記録媒体のファイルシステムを示すファイルシステム情報を取得する第２の取得手段と、
前記記録媒体の種類と前記ファイルシステム情報とが適合しているか否かを判定する第１の判定手段と、
前記第１の判定手段により前記記録媒体の種類が前記ファイルシステム情報に適合していないと判定された場合、前記速度情報を無効にして、前記記録媒体に対して情報を転送する外部装置に送信する通信手段とを有することを特徴とする通信装置。
【請求項２】
前記通信手段は、前記最低限の情報の書き込み速度とは異なる所定の値を前記速度情報に設定することにより、前記速度情報を無効することを特徴とする請求項１に記載の通信装置。
【請求項３】
前記通信手段は、無効にした前記速度情報を前記外部装置に送信した後、前記記録媒体の種類に対応するファイルシステム情報と前記第１の取得手段で取得された無効にされる前の前記速度情報とを前記外部装置に送信することを特徴とする請求項１又は２に記載の通信装置。
【請求項４】
前記第１の判定手段は、前記記録媒体がＳＤ規格であり、且つ前記ファイルシステム情報がＦＡＴ１６を示す場合、前記記録媒体の種類と前記ファイルシステム情報とが適合していると判定することを特徴とする請求項１乃至３の何れか１項に記載の通信装置。
【請求項５】
前記第１の判定手段は、前記記録媒体がＳＤＨＣ規格であり、且つ前記ファイルシステム情報がＦＡＴ３２を示す場合、前記記録媒体の種類と前記ファイルシステム情報とが適合していると判定することを特徴とする請求項１乃至４の何れか１項に記載の通信装置。
【請求項６】
前記第１の判定手段は、前記記録媒体がＳＤ規格又はＳＤＨＣ規格ではなく、且つ前記ファイルシステム情報がｅｘＦＡＴを示す場合、前記記録媒体の種類と前記ファイルシステム情報とが適合していると判定することを特徴とする請求項１乃至５の何れか１項に記載の通信装置。
【請求項７】
撮像手段と、
前記撮像手段より出力される画像データを前記記録媒体に記録する記録手段とを更に有することを特徴とする請求項１乃至６の何れか１項に記載の通信装置。
【請求項８】
前記第１の判定手段により前記記録媒体の種類が前記ファイルシステム情報に適合していないと判定された場合、前記第１の取得手段により取得された前記速度情報に示される速度が前記外部装置からの情報の転送速度を上回っているか否かを判定する第２の判定手段と、
前記第２の判定手段により、前記第１の取得手段により取得された前記速度情報に示される速度が前記外部装置からの情報の転送速度を上回っていると判定された場合、前記記録媒体を前記記録媒体の種類に適合するファイルシステムにフォーマットすることを案内するガイド情報を生成する生成手段とを更に有することを特徴とする請求項１乃至７の何れか１項に記載の通信装置。
【請求項９】
記録媒体に対する最低限の情報の書き込み速度を示す速度情報を取得する第１の取得手段と、
前記記録媒体のファイルシステムを示すファイルシステム情報を取得する第２の取得手段と、
前記記録媒体の種類に対応するファイルシステム情報を選択する選択手段と、
前記第２の取得手段により取得されたファイルシステム情報と前記選択手段により選択されたファイルシステム情報とに差異があるか否かを判定する第１の判定手段と、
前記第１の判定手段により差異があると判定された場合、前記第１の取得手段により取得された前記速度情報に示される速度が、前記記録媒体を装着する外部装置に対する情報の転送速度を上回っているか否かを判定する第２の判定手段と、
前記第２の判定手段により、前記第１の取得手段により取得された速度情報に示される速度が、前記記録媒体を装着する外部装置に対する情報の転送速度を上回っていると判定された場合、前記選択手段で選択されたファイルシステム情報に示されるファイルシステムに前記記録媒体をフォーマットすることを案内するガイド情報を生成する生成手段とを有することを特徴とする通信装置。
【請求項１０】
記録媒体に対する最低限の情報の書き込み速度を示す速度情報を取得する第１の取得ステップと、
前記記録媒体のファイルシステムを示すファイルシステム情報を取得する第２の取得ステップと、
前記記録媒体の種類と前記ファイルシステム情報とが適合しているか否かを判定する判定ステップと、
前記判定ステップにより前記記録媒体の種類が前記ファイルシステム情報に適合していないと判定された場合、前記速度情報を無効にして、前記記録媒体に対して情報を転送する外部装置に送信する通信ステップとを含むことを特徴とする通信装置の制御方法。
【請求項１１】
記録媒体に対する最低限の情報の書き込み速度を示す速度情報を取得する第１の取得ステップと、
前記記録媒体のファイルシステムを示すファイルシステム情報を取得する第２の取得ステップと、
前記記録媒体の種類に対応するファイルシステム情報を選択する選択ステップと、
前記第２の取得ステップにより取得されたファイルシステム情報と前記選択ステップにより選択されたファイルシステム情報とに差異があるか否かを判定する第１の判定ステップと、
前記第１の判定ステップにより差異があると判定された場合、前記第１の取得ステップにより取得された前記速度情報に示される速度が、前記記録媒体を装着する外部装置に対する情報の転送速度を上回っているか否かを判定する第２の判定ステップと、
前記第２の判定ステップにより、前記第１の取得ステップにより取得された速度情報に示される速度が、前記記録媒体を装着する外部装置に対する情報の転送速度を上回っていると判定された場合、前記選択ステップで選択されたファイルシステム情報に示されるファイルシステムに前記記録媒体をフォーマットすることを案内するガイド情報を生成する生成ステップとを含むことを特徴とする通信装置の制御方法。
【請求項１２】
記録媒体に対する最低限の情報の書き込み速度を示す速度情報を取得する第１の取得ステップと、
前記記録媒体のファイルシステムを示すファイルシステム情報を取得する第２の取得ステップと、
前記記録媒体の種類と前記ファイルシステム情報とが適合しているか否かを判定する判定ステップと、
前記判定ステップにより前記記録媒体の種類が前記ファイルシステム情報に適合していないと判定された場合、前記速度情報を無効にして、前記記録媒体に対して情報を転送する外部装置に送信する通信ステップとをコンピュータに実行させるためのプログラム。
【請求項１３】
記録媒体に対する最低限の情報の書き込み速度を示す速度情報を取得する第１の取得ステップと、
前記記録媒体のファイルシステムを示すファイルシステム情報を取得する第２の取得ステップと、
前記記録媒体の種類に対応するファイルシステム情報を選択する選択ステップと、
前記第２の取得ステップにより取得されたファイルシステム情報と前記選択ステップにより選択されたファイルシステム情報とに差異があるか否かを判定する第１の判定ステップと、
前記第１の判定ステップにより差異があると判定された場合、前記第１の取得ステップにより取得された前記速度情報に示される速度が、前記記録媒体を装着する外部装置に対する情報の転送速度を上回っているか否かを判定する第２の判定ステップと、
前記第２の判定ステップにより、前記第１の取得ステップにより取得された速度情報に示される速度が、前記記録媒体を装着する外部装置に対する情報の転送速度を上回っていると判定された場合、前記選択ステップで選択されたファイルシステム情報に示されるファイルシステムに前記記録媒体をフォーマットすることを案内するガイド情報を生成する生成ステップとをコンピュータに実行させるためのプログラム。
【発明の詳細な説明】
【技術分野】
【０００１】
本発明は、記録媒体に対して情報の書き込みを行う技術に関するものである。
【背景技術】
【０００２】
近年、メモリカードの大容量化、高速化が目覚しく進んでおり、デジタルカメラやデジタルビデオカメラなどの画像情報を記憶する記憶媒体として、広く採用されるようになっている。
【０００３】
デジタルカメラやデジタルビデオカメラの分野では、画像の高画素化とこれに伴う記録レートの高速化が求められており、このニーズに応えられるようにメモリカードの大容量化、高速化も飛躍的に進んでいる。
【０００４】
一方、メモリカードの大容量化、高速化に伴い、メモリカードの規格も大きな変遷を遂げてきている。メモリカードの代表的な１つであるＳＤメモリカードではＦＡＴ１６が採用されてきた。しかし、ＦＡＴ１６で扱える容量は２ＧＢ（ギガバイト）に制限されているため、２ＧＢ超えをテーマに新たにＳＤＨＣ規格が誕生した。これは、ファイルシステムとしてＦＡＴ３２を採用し、３２ＧＢの容量を持つメモリカードまでを扱える規格となっている。このＳＤＨＣ規格では最低限の情報の読み書き速度を規定する情報として、SpeedClassとして規格化しており、例えばClass 6では、その速度を６Ｍｂｐｓと規定している（例えば、特許文献１参照）。
【０００５】
一方、ハイビジョン映像の普及によって、記憶媒体に対する大容量化、高速化のニーズは未だ留まるところを知らない。このニーズに応えるようにＳＤメモリカードの容量は既に３２ＧＢ超えを達成するところまで来ており、この３２ＧＢ超えを達成可能とするファイルシステムを採用したｅｘＦＡＴと呼ばれる新たなメモリカード規格が提案されている。
【０００６】
また、このような機器に対して、パーソナルコンピュータなどの外部機器から情報を受信し、メモリカードに情報を記録しようとした場合にも、上記の書き込み速度よりも高速に情報を受信してしまうと、メモリカードに書き込みが間に合わなくなってしまう。
【先行技術文献】
【特許文献】
【０００７】
【特許文献１】特開２００８−１５２４６４号公報
【発明の概要】
【発明が解決しようとする課題】
【０００８】
しかしながら、ファイルシステムが変更されると、予め特定のファイルシステムで決めておいたスピードクラスでの情報の書き込み速度が保障できない可能性がある。外部機器との通信においても、そのスピードクラスを信じて通信すると、情報の書き込みが間に合わない可能性がある。
【０００９】
そこで、本発明の目的は、記録媒体のファイルシステムが変更された場合に、誤った速度での記録媒体への情報の書き込みを防止することにある。
【課題を解決するための手段】
【００１０】
本発明の通信装置は、記録媒体に対する最低限の情報の書き込み速度を示す速度情報を取得する第１の取得手段と、前記記録媒体のファイルシステムを示すファイルシステム情報を取得する第２の取得手段と、前記記録媒体の種類と前記ファイルシステム情報とが適合しているか否かを判定する第１の判定手段と、前記第１の判定手段により前記記録媒体の種類が前記ファイルシステム情報に適合していないと判定された場合、前記速度情報を無効にして、前記記録媒体に対して情報を転送する外部装置に送信する通信手段とを有することを特徴とする。
【発明の効果】
【００１１】
本発明においては、記録媒体の種類と当該記録媒体のファイルシステムとが適合していなければ、当該記録媒体に対する最低限の情報の書き込み速度を示す速度情報を無効にして、当該記録媒体に情報を転送する外部装置に送信するように構成している。従って、本発明によれば、記録媒体のファイルシステムが変更された場合に、誤った速度での記録媒体への情報の書き込みを防止することができる。
【図面の簡単な説明】
【００１２】
【図１】本発明の第１、第２の実施形態に係る通信装置の概略構成を示すブロック図である。
【図２】本発明の第１の実施形態に係る通信装置の処理を示すフローチャートである。
【図３】本発明の第１の実施形態に係る通信装置と外部機器との接続構成を概略的に示す図である。
【図４】本発明の第２の実施形態に係る通信装置の処理をフローチャートである。
【図５】本発明の第２の実施形態に係る通信装置と外部機器との接続構成を概略的に示す図である。
【図６】本発明の第１、第２の実施形態に係る通信装置のガイド情報生成部の動作を示すフローチャートである。
【図７】本発明の第３の実施形態に係る通信システムの概略構成を示すブロック図である。
【図８】本発明の第３の実施形態に係る通信装置のガイド情報生成部の動作を示すフローチャートである。
【発明を実施するための形態】
【００１３】
以下、本発明を適用した好適な実施形態を、添付図面を参照しながら詳細に説明する。
【００１４】
先ず、本発明の第１の実施形態について説明する。図１は、本発明の第１の実施形態に係る通信装置の概略構成を示すブロック図である。
【００１５】
図１において、１００は通信装置である。１０９は記録媒体を示し、通信装置１００に対して着脱可能なものであってもよいし、通信装置１００に内蔵のものであってもよい。以下、この記録媒体１０９としてメモリカードを例に挙げて説明する。１１０は外部機器であり、通信装置１００と接続されている。記録媒体接続部１０４は、制御部１０２からの指示に基づき、メモリカード１０９の初期化、情報の書き込み及び読み出しを行う。外部機器接続部１０６は外部機器１１０と接続して情報の送受信を行う。情報取得部１０１はメモリカード１０９から当該メモリカード１０９のSpeedClass情報、容量情報及びファイルシステム情報を取得し、記憶部１０３に記憶する。１０５はメモリ判別部であり、情報取得部１０１から得られた容量情報が２ＧＢ以下であればＳＤ規格、２ＧＢを超えていればＳＤＨＣ規格、更に３２ＧＢを超えていれば次世代規格のメモリカードという判別を行う。１１２はガイド情報生成部であり、警告情報の生成を行う。１１３は表示部であり、ユーザに対して操作ガイドを表示したり、メモリカードのフォーマットに関するガイドを表示する。なお、通信装置１００は、本発明の通信装置の適用例となる構成であり、外部機器１１０は、本発明の外部装置の適用例となる構成である。
【００１６】
次に、本発明の第１の実施形態に係る通信装置１００の動作について説明する。図２は、本発明の第１の実施形態に係る通信装置１００の処理を示すフローチャートである。図３は、本発明の第１の実施形態に係る通信装置１００と外部機器との接続構成を概略的に示す図である。以下では、主に図１及び図２を用いて本実施形態に係る通信装置１００の動作を説明するものとし、必要に応じて適宜図３を参照するものとする。
【００１７】
ステップＳ２００にて、通信装置１００（図３の４０１）はメモリカード１０９（図３の４００）と記憶媒体接続部１０４を介して接続される。ステップＳ２０１にて、情報取得部１０１はメモリカード１０９のSpeedClass情報（速度情報）を取得し、記憶部１０３に保存する。ステップＳ２０２にて、メモリ判別部１０５はメモリカード１０９の種類を判別する。ステップＳ２０３にて、情報取得部１０１はファイルシステム情報を取得する。ステップＳ２０４にて、差異判別部１０８はメモリカード１０９の種類と情報取得部１０１が取得したファイルシステム情報とが適合しているかを判別する。具体的には、ＳＤ規格のメモリカードであればファイルシステム情報がＦＡＴ１６であれば適合していると判定する。また、ＳＤＨＣ規格のメモリカードであればファイルシステム情報がＦＡＴ３２であれば適合していると判定する。さらに、次世代規格のカードであればファイルシステムがｅｘＦＡＴであれば適合していると判定する。メモリカード１０９の種類とファイルシステム情報とが適合していれば、ステップＳ２０６にて、情報送信部１０７は外部機器接続部１０６を介して情報取得部１０１によって取得されたSpeedClass情報を外部機器１１０（図３の４０４）に送信する。一方、メモリカード１０９の種類とファイルシステム情報とが適合せず差異がある場合、ステップＳ２０５にて、情報送信部１０７は記憶部１０３に記憶されたSpeedClass情報を、ステップＳ２０１で取得されたSpeedClass情報とは異なる所定の値であるClass 0に設定し、ステップＳ２０６にて外部機器１１０に送信する（図３の４０２）。なお、一般的にSpeedClass情報としてClass 0を送信することはNoInfoを送信することと同じである。このようにSpeedClass情報を無効にして外部機器１１０に送信することにより、外部機器１１０からメモリカード１０９（図３の４００）に情報が書き込まれる際（図３の４０３）、誤ったSpeedClassで書き込まれることを防ぐことができる。
【００１８】
なお、ステップＳ２１０は請求項１における第１の取得手段の処理例であり、ステップＳ２０３は請求項１における第２の取得手段の処理例である。ステップＳ２０５、Ｓ２０６は、請求項１における通信手段の処理例である。また、通信装置１００は撮像手段を備えるデジタルカメラ等で構成することができる。この場合、デジタルカメラに装着されるメモリカードに撮像手段で撮像された画像データが記録される。
【００１９】
次に、本発明の第２の実施形態について説明する。本実施形態に係る通信装置の概略構成は図１に示すブロック図と同様であるため、説明を省略する。図４は、本発明の第２の実施形態に係る通信装置１００の処理を示すフローチャートである。図５は、本発明の第２の実施形態に係る通信装置１００と外部機器との接続構成を概略的に示す図である。以下では、主に図１及び図４を用いて本実施形態に係る通信装置１００の動作を説明するものとし、必要に応じて適宜図５を参照するものとする。
【００２０】
ステップＳ３００にて、通信装置１００（図５の５０１）はメモリカード１０９（図５の５００）と記憶媒体接続部１０４を介して接続する。ステップＳ３０１にて、情報取得部１０１は、メモリカード１０９（図５の５００）の現在持つSpeedClass情報を取得し、記憶部１０３に記憶する。ステップＳ３０２にて、メモリ判別部１０５はメモリカード１０９の種類を判別する。ステップＳ３０３にて、情報取得部１０１はファイルシステム情報を取得する。ステップＳ３０４にて、差異判別部１０８は、メモリカード１０９の種類と取得したファイルシステム情報とが適合しているか判別する。この判別方法は第１の実施形態と同様の方法である。メモリカード１０９の種類とファイルシステム情報とが適合していれば、ステップＳ３０７にて、情報送信部１０７は記憶部１０３から読み出したSpeedClass情報及びファイルシステム情報を外部機器１１０（図５の５０４）に送信する。一方、メモリカード１０９の種類とファイルシステム情報とが適合せず差異がある場合、ステップＳ３０５にて、情報送信部１０７は記憶部１０３に記憶されるSpeedClass情報をClass 0（NoInfo）に設定し、外部機器１１０に送信する（図５の５０２）。次に情報送信部１０６は、ステップＳ３０６にて、メモリカード１０９の種類に対応するファイルシステム情報と、ステップＳ３０５にてNoInfoに設定する前のSpeedClass情報も外部機器１１０に送信する（図５の５０２）。例えば図５の５０２に示すように、ステップＳ３０５では、SpeedClass情報としてClass 0（NoInfo）が送信される。そして、ステップＳ３０６では、出荷時のメモリカード１０９の種類に対応するファイルシステム情報としてｅｘＦＡＴ、出荷時のメモリカード１０９のSpeedClass情報として（NoInfoに設定する前の）Class 6が送信される。これにより、外部機器１１０（図５の５０４）においてメモリカード１０９がｅｘＦＡＴのファイルシステムに初期化される。そして、当該メモリカード１０９が通信装置１００（図５の５０１）に装着され、外部機器１１０から通信装置１００にClass 6のビットレートで情報が書き込まれる（図５の５０３）。
【００２１】
次に、外部機器１１０から情報が転送されたときのガイド情報生成部１１２の動作を図６のフローチャートを用いて説明する。
【００２２】
先ずステップＳ７−１にて、外部機器接続部１０１が外部機器１１０からの情報の転送を検出すると、差異判別部１０８は、ステップＳ７−２にてメモリカード１０９の種類と情報取得部１０１が取得したファイルシステム情報とが適合しているか判別する。適合していなければステップＳ７−３に進み、外部機器１１０からの情報の転送速度とメモリカード１０９のSpeedClass情報とを比較する。SpeedClass情報が転送速度以上であればステップＳ７−４に進み、ここで、ガイド情報生成部１１２は、外部機器１１０からの情報の転送速度ではメモリカード１０９に情報は保存できない。そのため、外部機器１１０でメモリカードの種類に適合したファイルシステムで初期化を行うか、メモリカードを適切なものに取り換えることを案内するガイド情報を生成する。このガイド情報は、文字形式ではなくアイコン形式で表現してもよい。ガイド情報生成部１１２で生成されたガイド情報は表示部１１３に出力され、初期化の案内が行われる。なお、ステップＳ７−２にてメモリカード１０９の種類とファイルシステム情報とが適合している場合、又は、ステップＳ７−３にてSpeedClass情報が転送速度未満である場合、ガイド情報生成部１１２は処理を終了する。このガイド情報による案内に応じて、ユーザは外部機器１１０（図５の５０４）を用いてメモリカード１０９の初期化を行う。なお、ステップＳ７−３は、請求項８における第２の判定手段の処理例であり、ステップＳ７−４は、請求項８における生成手段の処理例である。
【００２３】
上述した実施形態においては、メモリカード１０９の種類とメモリカード１０９のファイルシステムとが適合していなければ、メモリカード１０９に対する最低限の情報の書き込み速度を示す速度情報を無効にして外部機器１１０に送信するようにしている。従って、メモリカード１０９のファイルシステムが変更された場合に誤った速度でメモリカード１０９に情報が書き込まれないようにすることができる。また、本実施形態におけるステップＳ７−３では、外部機器１１０からの情報の転送速度とメモリカード１０９のSpeedClass情報とを比較している。ステップＳ７−３の他の実施形態として、メモリカード１０９に実際に情報を書込み、その速度を調べて、外部機器１１０からの情報の転送速度と比較するようにしてもよい。
【００２４】
また、本発明の第２の実施形態においては、例えばｅｘＦＡＴのファイルシステムを持つメモリカードがｅｘＦＡＴ以外のファイルシステムにフォーマットされた場合、フォーマット前のファイルシステム情報とSpeed Class情報とを外部機器に通知する。これにより、ＰＣである外部機器はＰＣアプリケーションを用いてｅｘＦＡＴ規格のファイルシステムにフォーマットすることができる。また、ｅｘＦＡＴ規格が保障するSpeed Classを用いて、ｅｘＦＡＴ規格以外のファイルシステム（フォーマット後のファイルシステム）で保障されていなかった高ビットレートでのメモリカードに対する情報の書き戻しが可能になる。
【００２５】
次に、本発明の第３の実施形態について説明する。図７は、本発明の第３の実施形態に係る通信システムの概略構成を示すブロック図である。
【００２６】
図７において、２００は情報を受信する受信装置である。３００は情報を送信する送信装置である。先ず、受信装置２００の構成について説明する。２０９は記録媒体を示し、着脱可能なものであっても内蔵のものであってもよく、以下、この記録媒体２０９としてメモリカードを例に挙げて説明する。２０４は記録媒体接続部であり、制御部２０２からの指示に基づき、メモリカードの初期化、情報の書き込み及び読み出しを行う。２０１は情報取得部であり、メモリカード２０９から当該メモリカード２０９のSpeedClass情報、容量情報及びファイルシステム情報を取得する。２０５はメモリ判別部であり、図１のメモリ判別部１０５と同様の機能を有する。２０７は情報送信部であり、送信情報として情報取得部２０１で得られたメモリカード２０９のSpeedClass情報、ファイルシステム情報及びメモリ判別部２０５で得られたメモリカードの種類に関する情報を設定する。２０６は送信機器接続部であり、送信装置２１０と接続して、メモリカード２０９のSpeedClass情報、ファイルシステム情報及びメモリカードの種類に関する情報を送信する。
【００２７】
次に送信装置３００の構成について説明する。３０１はガイド情報生成部であり、情報の送信時のガイド情報を生成する。３０２は表示部であり、ガイド情報生成部３０１にて生成されたガイド情報を表示する。３０３は受信機器接続部であり、送信データ記憶部３０４に記憶された情報を送信する。メモリカード２０９に関する情報の受信もここで行われる。３０５は受信情報取得部であり、受信機器接続部３０３を介してメモリカード２０９のSpeedClass情報、ファイルシステム情報及びメモリカード２０９の種類に関する情報を取得する。３０６は情報記憶部であり、メモリカード２０９の種類毎に設定されたファイルシステム情報を記憶する。
【００２８】
次に、図８のフローチャートを用いてガイド情報生成部３０１の動作について説明する。ステップＳ１１−１にて、ガイド情報生成部３０１は受信情報取得部３０５でメモリカード２０９に関する情報（メモリカード２０９のSpeedClass情報、ファイルシステム情報及びメモリカードの種類に関する情報）を取得したか否かを判定する。メモリカード２０９に関する情報の取得が確認されるとステップＳ１１−２に進み、ガイド情報生成部３０１は、メモリカード２０９のSpeedClass情報、ファイルシステム情報及びメモリカードの種類に関する情報を検出する。次いでステップＳ１１−３に進み、ガイド情報生成部３０１は、検出したメモリカードの種類に対応するファイルシステム情報を情報記憶部３０６から選択する。次いでステップＳ１１−４に進み、ガイド情報生成部３０１は、ステップＳ１１−３で検出されたファイルシステム情報と、受信情報取得部３０５によって取得されたファイルシステム情報とを比較して差異を判別する。差異ありと判定された場合にはステップＳ１１−５に進み、ガイド情報生成部３０１は、受信情報取得部３０５によって取得されたSpeedClass情報が、送信装置３００からの情報の転送速度よりも高速であるか否かを判定する。SpeedClass情報が送信装置３００からの情報の転送速度よりも高速であると判定された場合、ステップＳ１１−６に進む。このように、送信装置３００からの情報の送信速度よりも、最低限の情報の読み書き速度を示すSpeedClass情報の方が高速である場合、メモリカード２０９に情報を保存することができない。従って、ステップＳ１１−６において、ガイド情報生成部３０１は、メモリカード２０９の種類に適合したファイルシステム情報で初期化を行うか、メモリカード２０９を適切なものに取り換えることを案内するガイド情報を生成する。一方、SpeedClass情報より送信装置３００からの情報の転送速度の方が高速である場合、ガイド情報生成部３０１はステップＳ１１−５を実行することなく処理を終了する。
【００２９】
なお、ステップＳ１１−１、Ｓ１１−２は、請求項９における第１の取得手段、第２の取得手段の処理例であり、ステップＳ１１−３は、請求項９における選択手段の処理例である。ステップＳ１１−４は、請求項９における第１の判定手段の処理例であり、ステップＳ１１−５は、請求項９における第２の判定手段の処理例である。ステップＳ１１−６は、請求項９における生成手段の処理例である。
【００３０】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【００３１】
１００：通信装置、１０１、２０１：情報取得部、１０２、２０２：制御部、１０４、２０４：記憶媒体接続部、１０５、２０５：メモリ判別部、１０６：外部機器接続部、１０７：情報送信部、１０８：差異判別部、１０９、２０９：記録媒体、１１０：外部機器、１１２、３０１：ガイド情報生成部、１１３、３０２：表示部、２００：受信装置、２０６：送信機器接続部、２０７：情報送信部、３００：送信装置、３０３：受信機器接続部、３０４：送信データ記憶部、３０５：受信情報取得部、３０６：情報記憶部
【図１】
2011034131.tif 000003
【図２】
2011034131.tif 000004
【図３】
2011034131.tif 000005
【図４】
2011034131.tif 000006
【図５】
2011034131.tif 000007
【図６】
2011034131.tif 000008
【図７】
2011034131.tif 000009
【図８】
2011034131.tif 000010